(57)【特許請求の範囲】
【請求項１】
ドアと、該ドアの開閉を検知するスイッチと、該スイッチを作動させる操作部材からなり、該操作部材は前記ドアに取り付けられ、この取り付けの取付基部は操作部材の先端部が回動可能とするように形成されると共に、スイッチと操作部材との間には操作部材の先端部を案内するガイド部材を配設し、該ガイド部材は前記取付基部の座屈時に前記先端部を前記スイッチに向けて案内してなるインターロックスイッチ装置。
【請求項２】
操作部材は少なくとも部材の一部分を弾性体で形成し変形自在としてなる請求項１記載のインターロックスイッチ装置。
【請求項３】
機体内に配設されるスイッチと、機体に開閉自在に配設されるドアに配設される操作部材からなり、スイッチはドアの開閉を検知するインターロックスイッチであって、ガイド部材はスイッチを覆って機体に設けるインナーカバーに配設される請求項１記載のインターロックスイッチ装置。
【請求項４】
操作部材はドア面に平行する位置とドア面に垂直する位置に回動自在に構成され、ドアを閉じたとき、ドア面に垂直の位置となり、ガイド部材に案内されてスイッチを作動させると共に、ドアを開いたとき、ドア面に平行する位置に回動するよう構成してなる請求項１記載のインターロックスイッチ装置。
【請求項５】
操作部材の回動はリンク機構による請求項４記載のインターロックスイッチ装置。
【請求項６】
操作部材はドアが開状態のとき、ドアの内側に収納される請求項４記載のインターロックスイッチ装置。
【発明の詳細な説明】
【０００１】
【産業上の利用分野】
この発明は静電写真複写機、プリンタ、ファクシミリ等の画像形成装置のドア側のスイッチ操作部材によりドアの開閉を検知するインターロックスイッチを動作させるインターロックスイッチ装置に関する。
【０００２】
【従来の技術】
通常実行されているインターロックスイッチ機構は、図１０に示すように、複写機等のカバー３の内側に配設するスイッチ操作部材８と、複写機等の機内に配設するスイッチ部２とよりなり、カバー３を閉めたとき、スイッチ操作部材８がスイッチ部２のスイッチ押圧部材５を押圧してスイッチ機構を作動させる。
このように静電写真複写機、プリンタ、ファクシミリ等の画像形成装置における本体側に配設する（スイッチ部）と、ドア側に配設するスイッチ操作部とよりなるスイッチ装置は、スイッチ操作部材がドア面より出張っているので、作業者が操作部材に接触して操作部材を破損する、あるいは作業者の衣類を破損する等の不都合があった。
そこで、特開昭５７−１３３４５８号公報には、操作部材に過度の外力が加わったとき、スイッチ操作部材がドア面から脱落して装置または衣類の破損を回避する構成が開示されている。
また、実開平３−９４５４９号公報には、メンテナンスのためスイッチ操作部材をドアに着脱自在に配設した構成が開示されている。
【０００３】
【発明が解決しようとする課題】
しかし、上記従来技術の場合には、スイッチ操作部材の脱落方向、着脱方向以外の方向からの外力に対する対策がとられておらず、脱落方向、あるいは着脱方向以外からの力が加わったとき、やはり、スイッチ操作部材が破損する、あるいは作業者の衣服を破損したり、人体を損傷する等の危惧があった。
そこで、この発明はドアを開放したとき、作業者の邪魔となることなく、かつ、ドアを閉めたときスイッチ操作部材がスイッチ操作部を操作してスイッチ動作が確実にできるインターロックスイッチ装置を提供するものである。
【０００４】
【課題を解決するための手段】
本発明のスイッチと、該スイッチを作動させる操作部材からなるインターロックスイッチ装置は、操作部材の先端部を回動可能に形成すると共に、スイッチと操作部材との間には操作部材の先端部を案内するガイド部材を配設してなる構成を基本的に具備する。
【０００５】
また、操作部材は少なくとも部材の一部分を弾性体で形成し変形自在とした構成を具備する。
インターロックスイッチ装置は機体内に配設されるスイッチと、機体に開閉自在に配設されるドアに配設される操作部材からなり、スイッチはドアの開閉を検知するインターロックスイッチであって、ガイド部材はスイッチを覆って機体に設けるインナーカバーに配設する構成、また、操作部材は、例えばリンク機構によってドア面に平行してドアの内側に収納される位置と、ドア面に垂直する位置に回動自在に構成され、ドアを閉じたとき、ドア面に垂直の位置となり、ガイド部材に案内されてスイッチを作動させると共に、ドアを開いたとき、ドア面に平行する位置に回動する構成を具備する。
【０００６】
【作用】
先端部分が回動可能とする、あるいはドア面に対して回動自在に配設する操作部材は、ドアを閉じたとき、操作部材の先端部分はガイド部材に案内されてスイッチに接触し、スイッチを作動させる。操作部材は先端部分が回動可能であって、ガイド部材への進入が確実となる。また、スイッチ作動操作が終了したとき、操作部材は弾性体により柔軟性を有するので、外力が加わっても柔軟対応する。また、リンク機構により回動する操作部材は、ドア拡開時、ドアの内面に収納される。
【０００７】
【実施例】
以下にこの発明を図示の実施例に基づいて説明する。
実施例１
図１は複写機の全体上面図、図２はスイッチ装置の部分拡大図、図３はスイッチ装置の作動説明図である。
複写機１０の前面（操作側）にはインナーカバー３０を介してドア１３が開閉自在に配設されている。複写機１０の内部にはスイッチ部２０を配設し、ドア１３にはドア１３を閉じたときスイッチ部２０を操作するスイッチの操作部材４０を取り付けている。
操作部材４０はドア１３の内側面に垂設する棒状体であって、弾性体で形成した取付基部４１と、剛体で形成する操作部４３で構成する。取付基部４１はドア１３裏面に固着し、取付基部４１の弾性により操作部４３は取付基部４１を支点として回動可能となっている。
スイッチ部２０はスイッチボタン２３を配設する本体とスイッチボタン２３を押圧する押圧部材２５を有する。
インナーカバー３０にはスイッチ部２０に対応する位置に操作部材４０のガイド孔３３を設け、インナーカバー３０を折曲させたガイド部３５を形成する。
【０００８】
このように構成する複写機１０はドア１３を閉めるとき、ドア１３の内側に配設する操作部材４０がインナーカバー３０のガイド部３５に案内されて機内に挿入し、スイッチ部２０の押圧部材２５を押圧する。押圧部材２５がスイッチ部２０のスイッチボタン２３を押圧することにより複写機のスイッチをＯＮする。
そして、メンテナンスのため等によりドア１３を拡開したとき、操作部材４０はガイド部３５に案内されてインナーカバー３０から脱出する。スイッチ部２０のスイッチボタン２３は押圧部材２５の押圧を解除され、スイッチをＯＦＦする。ドア１３に配設する操作部材４０はその取付基部４１を弾性体で構成することにより、操作部材に対していかなる方向からの外力が加わったとしても、取付基部４１の弾性部分が撓み、外力を吸収する。
また、ドア１３を閉じる場合に、例え操作部材４０の取付基部４１が座屈したとしてもガイド部３５に案内された剛体の操作部４３が確実にスイッチ部２０の押圧部材２５を押圧する。
【０００９】
このように、操作部材４０はドア１３が開いた状態の場合に、操作者等の接触による外力がいずれの方向から加わったとしても、弾性の基部４１が撓んで操作者が損傷を負うことがないと共に、ドア１３、操作部材４０を破損することがない。
また、ドア１３を閉じる場合、インナーカバー３０にガイド部３５を設けると共に、操作部材４０の弾性の基部４１が対応することにより操作部材４０の取付精度の公差を緩和でき、機器の組立の作業性を向上させる。
なお、この実施例では操作部材の一部（基部）にのみ弾性体を使用しているが、図４に示すように、操作部材４００全体を弾性材で形成してもよい。
さらに、弾性材に換えて、図５に示すように、ドア１３への取付部である基部４５１をスプリングで形成し、操作部４５５を剛体で形成する操作部材４５０であっても、同様の効果を達成する。図６に示す操作部材４６０は全体をスプリングで形成した例を示しているが、操作部材４６０も同様に確実なスイッチ操作、およびいずれの方向からの外力への対応が可能である。
【００１０】
実施例２
この実施例に示すインターロックスイッチ装置はリンク機構を用いて操作部材を構成している。
図７はスイッチ装置の部分拡大図、図８は操作部材の作動説明図である。
複写機側に配されるインナーカバー３０のガイド部３５、およびスイッチ部２０は実施例１と同様の構成であって、同一の符号を付してその説明を省略する。
ドア１３０はその両端縁をインナーカバー側に折曲して折曲部１３３，１３５を形成する。一方の折曲部１３３側には支持部材１３７を介して操作部材５００を設ける。操作部材５００は支持部材１３７に止め具５１０で回動自在に連結されている。支持部材１３７は折曲部１３３より突出することのない寸法とする。
他方の折曲部１３５にはヒンジ支持部材１３９を介してヒンジ６００とリンク部材６５０を配設する。そして、リンク部材６５０と操作部材５００は連結部材７００により連結している。
連結部材７００はその一部をバネ等の弾性材で構成する弾性部７３０としている。連結部材７００はその一端をリンク部材６５０に固着し、他端を操作部材５００の端部に止め具７５０により固着する。
【００１１】
このように構成する複写機はドア１３０を閉めるとき、ドア１３０の内側に配設する操作部材５００がインナーカバー３０のガイド部３５に案内されて機内に挿入し、スイッチ部２０の押圧部材２５を介してスイッチボタン２３を押圧することにより複写機のスイッチをＯＮする。
ドア１３０を開く場合、ドア１３０の回動に伴い操作部材５００は連結部材７００に押されて止め具５１０を支点として矢印Ｘ方向に回動する。そして、ドア１３０が９０度回動し、拡開したとき、操作部材５００は連結部材７００に重折する。
ドア１３０を閉める場合は、操作部材５００は連結部材７００に引かれて止め具５１０を支点に矢印Ｙに示す方向に回動する。そして、インナーカバー３０のガイド部３５に案内されて機内に挿入する。このとき、連結部材７００の一部であるばねによる弾性部７３０は操作部材５００に連動して伸縮するので、ガイド部３５への挿入時、操作部材５００の取付位置精度の公差を緩和する。
このように、操作部材５００はドア１３０の拡開に伴って回動し、ドア１３０の折曲部１３３内に収納され、作業者等に接触することがない。
【００１２】
実施例３
この実施例は操作部材の作動をばねにより行っている。
図９はインナーカバーを省略したスイッチ装置の部分拡大図である。
複写機側に配されるインナーカバーのガイド部（省略）、およびスイッチ部２０は実施例１と同様の構成であるのでその説明を省略する。
ドア１３０はその両端縁に折曲部１３３，１３５を形成し、一方の折曲部１３３側には支持部材１３７を介して操作部材９００を配設し、他方の折曲部１３５にはヒンジ支持部材１３９を介してヒンジ６００とリンク部材６５０を配設する。
操作部材９００は折曲部１３３より突出することのない寸法の支持部材１３７に止め具９１０で回動自在に連結されている。そして、リンク部材６５０と操作部材９００のリンク部８５０は剛体の部材に換えてワイヤ８００により連結されている。さらに、支持部材１３７と操作部材９００はばね９５０で連結され、ばね９５０は操作部材９００をドア１３０と平行した状態となるように付勢している。
【００１３】
このように構成する複写機はドア１３０を閉める方向に回動したとき、ドア１３０の内側に配設する操作部材９００のリンク部８５０がワイヤ８００に引張られ、ばね９５０の付勢力に抗して矢印Ｓ方向に回動し、起立する。そして、操作部材９００はインナーカバーのガイド部に案内されて機内に挿入し、スイッチ部２０の押圧部材２５を介してスイッチボタン２３を押圧することにより複写機のスイッチをＯＮする。
ドア１３０を開く場合、ドア１３０の回動に伴い操作部材９００はばねの付勢力で止め具９１０を支点として矢印Ｐ方向に回動しドア１３０が拡開したとき、操作部材９００はドア１３０に平行した状態で、ドア１３０の折曲部１３３内に収納される。
このように、操作部材９００はドア１３０の拡開時、ドア１３０の折曲部１３３内に収納され、作業者等に接触することがない。
【００１４】
【発明の効果】
この発明のインターロック装置は、メンテナンスのためにドアを開けたとき、作業者が誤って衣服や体の一部を操作部材に接触させても、操作部材は柔軟性をもって対応するので、衣類の破損、人体への損傷等を起こさず、従来の装置が起こした接触に起因する操作部材の脱落等の不都合をも解消する。
また、操作部材はガイド部によりスイッチ部に案内されるので、操作部材の取付位置精度の公差を緩和でき、装置の組立作業性を向上させる。
【図面の簡単な説明】
【図１】インターロックスイッチ装置を有する複写機の上面説明図。
【図２】インターロックスイッチ装置の要部拡大図。
【図３】インターロックスイッチ装置の作動説明図。
【図４】操作部材の他の実施例を示す構成説明図。
【図５】操作部材の他の実施例を示す構成説明図。
【図６】操作部材の他の実施例を示す構成説明図。
【図７】実施例２のインターロックスイッチ装置を示す要部拡大図。
【図８】実施例２の操作部材の作動説明図。
【図９】実施例３のインターロックスイッチ装置を示す要部拡大図。
【図１０】インターロックスイッチ装置の従来例を示す概要斜視図。
【符号の説明】
１０  複写機体、  １３  ドア、  ２０  スイッチ部、  ３０  インナーカバー、  ３３  ガイド部、  ４０，４００，４５０，４６０，５００，９００  操作部材、  ４１，４５１  弾性体、  ６００  ヒンジ、  ６５０  リンク部材、７００，８００  連結部材、  ７５０，８５０  リンク部。
【図１】
0003620090.tif 000002
【図２】
0003620090.tif 000003
【図３】
0003620090.tif 000004
【図４】
0003620090.tif 000005
【図５】
0003620090.tif 000006
【図６】
0003620090.tif 000007
【図７】
0003620090.tif 000008
【図８】
0003620090.tif 000009
【図９】
0003620090.tif 000010
【図１０】
0003620090.tif 000011